(57)【要約】【課題】胸ベルトを交換可能として、経済的に使用できるハーネス型安全帯の胸ベルト取付構造を提供する。【解決手段】肩に掛けられて背中で交差する一対の肩ベルト１と、肩ベルト１に連結されて腿に巻き付けられる一対の腿ベルト２と、肩ベルト１に端末部分が取り付けられた胸ベルト３とから成るハーネス型安全帯の胸ベルト取付構造において、肩ベルト１の胸に沿う部分にはループ部１２が形成され、胸ベルト３の端末側にはアイスプライス部１３が形成されたものとし、ループ部１２にアイスプライス部１３を挿通し、アイスプライス部１３を折り返して肩ベルト１を挟み込み、胸ベルト３の先端側をアイスプライス部１３に挿通して、アイスプライス部１３を肩ベルト１に巻き付いた状態で引き締めることにより、肩ベルト１と胸ベルト３とを結合するものとする。【選択図】図１
2019072424.tif 000002
【特許請求の範囲】
【請求項１】
肩に掛けられて背中で交差する一対の肩ベルト(1)と、前記肩ベルト(1)に連結されて腿に巻き付けられる一対の腿ベルト(2)と、前記肩ベルト(1)に端末部分が取り付けられた胸ベルト(3)とから成るハーネス型安全帯の胸ベルト取付構造において、
前記肩ベルト(1)の胸に沿う部分にはループ部(12)が形成され、前記胸ベルト(3)の端末側にはアイスプライス部(13)が形成されたものとし、
前記ループ部(12)に前記アイスプライス部(13)を挿通し、前記アイスプライス部(13)を折り返して前記肩ベルト(1)を挟み込み、前記胸ベルト(3)の先端側を前記アイスプライス部(13)に挿通して、前記アイスプライス部(13)を前記肩ベルト(1)に巻き付いた状態で引き締めることにより、前記肩ベルト(1)と前記胸ベルト(3)とを結合することを特徴とするハーネス型安全帯の胸ベルト取付構造。
【請求項２】
前記肩ベルト(1)のループ部(12)と、前記胸ベルト(3)のアイスプライス部(13)には、これらが正しく結合された状態で一致する合せマーク(14)が表示されていることを特徴とする請求項１に記載のハーネス型安全帯の胸ベルト取付構造。
【発明の詳細な説明】
【技術分野】
【０００１】
この発明は、高所作業や昇降移動に使用されるハーネス型安全帯であって、胸ベルトが交換可能なものに関する。
【背景技術】
【０００２】
一般に、高所作業時における作業者の墜落を阻止するハーネス型安全帯は、図１１及び図１２に示すように、肩に掛けられて背中で交差する一対の肩ベルト１と、肩ベルト１に連結されて腿に巻き付けられる一対の腿ベルト２と、肩ベルト１の胸に沿う部分に取り付けられた一対の胸ベルト３から構成されている（下記特許文献１参照）。
【０００３】
そして、一対の肩ベルト１の背中側の交差部にはＤ環止め５ａが設けられ、肩ベルト１と腿ベルト２の両側の交差部にはベルト保持板５ｂが設けられている。一対の腿ベルト２の下部間には尻当て２ａが渡され、一対の肩ベルト１から延びる胸ベルト３の先端部同士は、その先端部の連結バックル４により連結される。
【０００４】
また、背中側のＤ環止め５ａには、Ｄ環６が取り付けられ、高所作業に際しては、このＤ環６に接続したランヤード７の先端のフック８を作業場所の固定部に係止する。
【０００５】
なお、胸ベルト３は、一対の肩ベルト１の胸に沿う部分の開きを防止するために設けられたものであり、通常の高所作業で作業員の墜落を阻止した時に大きな衝撃力が作用することがないため、肩ベルト１や腿ベルト２に比べて高強度である必要がなく、連結バックル４も軽量化のため樹脂製とされる場合が多い。
【０００６】
上記のようなハーネス型安全帯を通常の高所作業時に使用すると、墜落が阻止されて、労働災害事故を防止することができる。
【０００７】
ただし、梯子等による昇降移動においては、昇降路に沿って上下方向に張設された親綱にスライド器具を取り付け、背中側のＤ環６に接続したランヤード７のフック８をスライド器具に係止して、昇降路を昇降する際、作業者が万一落下してランヤード７により支持されたとき、前屈姿勢となって頭部を壁面等に打ち付ける危険性がある。
【０００８】
その対策として、下記特許文献２では、図１３に示すように、胸ベルト３に吊ベルト９となる部分を設け、その先端にＤ環１０を取り付けて、Ｄ環１０にランヤード１１を接続するようにしたハーネス型安全帯が提案されている。
【０００９】
このハーネス型安全帯を使用すると、作業者が万一落下したとき、体の前側の吊ベルト９とランヤード１１により仰向け状態で吊り下げられるので、頭部を壁面等へ打ち付けることがなく、安全性が確保される。
【００１０】
上記のような昇降移動対応のハーネス型安全帯では、作業員の墜落を阻止した時、胸ベルト３に大きな衝撃力が作用するため、胸ベルト３には、金属を主体とする連結バックル等を備えた高強度のものが使用される。
【先行技術文献】
【特許文献】
【００１１】
【特許文献１】特開平１１−３３３０１０号公報
【特許文献２】特開２０４４−１４１４８０号公報
【発明の概要】
【発明が解決しようとする課題】
【００１２】
ところで、上記のような従来のハーネス型安全帯では、肩ベルト、腿ベルト及び胸ベルトが縫着されているが、これらの各部位は、作業内容によって荷重や摩擦による傷み具合が異なるのが通常である。
【００１３】
しかしながら、上述のように、胸ベルトは墜落阻止機能に係わるものではないため、胸ベルトが傷んだだけでハーネス型安全帯全体を買い替えなければならない縫着による胸ベルトの取付構造は、不経済なものである。
【００１４】
また、作業内容の変化により昇降移動の必要が生じたとき、Ｄ環等の連結部材を有する高強度の胸ベルトを備えたハーネス型安全帯全体を別途購入しなければならず、この点においても、不経済なものである。
【００１５】
そこで、この発明は、胸ベルトを交換可能として、経済的に使用できるハーネス型安全帯の胸ベルト取付構造を提供しようとするものである。
【課題を解決するための手段】
【００１６】
上記のような課題を解決するため、この発明は、肩に掛けられて背中で交差する一対の肩ベルトと、前記肩ベルトに連結されて腿に巻き付けられる一対の腿ベルトと、前記肩ベルトに端末部分が取り付けられた胸ベルトとから成るハーネス型安全帯の胸ベルト取付構造において、
前記肩ベルトの胸に沿う部分にはループ部が形成され、前記胸ベルトの端末側にはアイスプライス部が形成されたものとし、
前記ループ部に前記アイスプライス部を挿通し、前記アイスプライス部を折り返して前記肩ベルトを挟み込み、前記胸ベルトの先端側を前記アイスプライス部に挿通して、前記アイスプライス部を前記肩ベルトに巻き付いた状態で引き締めることにより、前記肩ベルトと前記胸ベルトとを結合するものとしたのである。
【００１７】
また、肩ベルトへの胸ベルトの取り付けを間違いなく行えるように、前記肩ベルトのループ部と、前記胸ベルトのアイスプライス部には、これらが正しく結合された状態で一致する合せマークが表示されているものとしたのである。
【発明の効果】
【００１８】
この発明に係るハーネス型安全帯の取付構造では、胸ベルトの先端側をアイスプライス部から引き抜き、胸ベルトのアイスプライス部の折り返しを戻して、肩ベルトのループ部から胸ベルトのアイスプライス部を引き抜くことにより、肩ベルトから胸ベルトを取り外し、胸ベルトを別のものに交換することができる。
【００１９】
このため、肩ベルトと腿ベルトをそのまま使用して、傷んだ胸ベルトのみを新しい胸ベルトに取り替えることができ、或いは、胸ベルトをそのまま使用して、傷んだ肩ベルト及び腿ベルトを取り替えることができるので、経済性が向上する。
【００２０】
また、作業内容における昇降移動の有無が変化したとき、通常の胸ベルトから昇降移動に対応した連結部材を有する高強度の胸ベルトに交換したり、昇降移動対応の胸ベルトから通常の胸ベルトに戻したりすることができる。
【００２１】
このため、通常の高所作業用のハーネス型安全帯とは別に昇降移動用のハーネス型安全帯を購入する必要がなくなり、経済性が向上する。
【図面の簡単な説明】
【００２２】
【図１】この発明に係る取付構造を適用した昇降移動対応の胸ベルトの連結状態を示すハーネス型安全帯の正面図
【図２】同上の胸ベルトの肩ベルトへの取付前の状態を示す正面図
【図３】同上のループ部への一方の胸ベルトの挿通過程を示す正面図
【図４】同上の折り返したアイスプライス部への挿通過程を示す正面図
【図５】同上の一方の胸ベルトの取付状態を示す正面図
【図６】同上のループ部への他方の胸ベルトの挿通過程を示す正面図
【図７】同上の折り返したアイスプライス部への挿通過程を示す正面図
【図８】同上のＤ環の挿通過程を示す正面図
【図９】同上の両方の胸ベルトの取付状態を示す正面図
【図１０】この発明に係る取付構造を適用した通常の胸ベルトの連結状態を示すハーネス型安全帯の正面図
【図１１】特許文献１に記載のハーネス型安全帯の装着状態の正面図
【図１２】同上の背面図
【図１３】特許文献２に記載のハーネス型安全帯による墜落阻止状態を示す側面図
【発明を実施するための形態】
【００２３】
以下、この発明の実施形態を添付図面に基づいて説明する。
【００２４】
この発明の取付構造は、図１１乃至図１３に示したものと同様、肩に掛けられて背中で交差する一対の肩ベルト１と、肩ベルト１に連結されて腿に巻き付けられる一対の腿ベルト２と、肩ベルト１の胸に沿う部分にそれぞれ端末部が取り付けられた一対の胸ベルト３とから成るハーネス型安全帯に適用されるものである。
【００２５】
図１乃至図９に示す胸ベルト３は、昇降移動に対応したものであり、ナイロンその他の合成繊維製の高強度のベルト材が使用され、その先端部の連結バックル４には、金属を主体とするものが使用されている。
【００２６】
図２に示すように、一方の胸ベルト３は短く、その先端部には連結バックル４の受側部材４ａが取り付けられている。また、他方の胸ベルト３は長く、その先端部には連結バックル４の差込部材４ｂが取り付けられると共に、それより端末寄りに金属製のＤ環１０が取り付けられている。
【００２７】
一対の肩ベルト１の胸に沿う部分には、ベルト材を表側へ折り返して重ね合わせることによりループ部１２が形成され、一対の胸ベルト３のそれぞれの端末側には、輪状に継いだアイスプライス部１３が形成されている。
【００２８】
このような胸ベルト３を肩ベルト１に取り付けるには、図３に示すように、一方の肩ベルト１のループ部１２に、一方の胸ベルト３のアイスプライス部１３を挿通する。この挿通方向は、装着状態で体の前面の幅方向中央側から一方の外側へ向かう方向とする。
【００２９】
次に、図４に示すように、この胸ベルト３のアイスプライス部１３を肩ベルト１の裏側へ折り返して肩ベルト１を挟み込み、胸ベルト３の先端側に位置する連結バックル４の受側部材４ａをアイスプライス部１３に挿通する。
【００３０】
そして、この胸ベルト３の先端側を引っ張ると、図５に示すように、アイスプライス部１３が肩ベルト１に巻き付いた状態で引き締められ、肩ベルト１のループ部１２と胸ベルト３のアイスプライス部１３が結合される。
【００３１】
また、図６に示すように、他方の肩ベルト１のループ部１２に、他方の胸ベルト３のアイスプライス部１３を挿通する。この挿通方向は、装着状態で体の前面の幅方向中央側から他方の外側へ向かう方向とする。
【００３２】
次に、図７に示すように、この胸ベルト３のアイスプライス部１３を肩ベルト１の裏側へ折り返して肩ベルト１を挟み込み、胸ベルト３の先端側に位置する連結バックル４の差込部材４ｂをアイスプライス部１３に挿通する。
【００３３】
続いて、図８に示すように、Ｄ環１０をアイスプライス部１３に挿通し、この胸ベルト３の先端側を引っ張ると、図９に示すように、アイスプライス部１３が肩ベルト１に巻き付いた状態で引き締められ、肩ベルト１のループ部１２と胸ベルト３のアイスプライス部１３が結合され、両方の胸ベルト３の肩ベルト１への取り付けが完了する。
【００３４】
なお、肩ベルト１への胸ベルト３の取り付けを間違いなく行えるように、肩ベルト１のループ部１２と、胸ベルト３のアイスプライス部１３に、これらが正しく結合された状態で一致する合せマーク１４を目立つ色彩で表示しておくとよい。
【００３５】
このようなハーネス型安全帯の取付構造では、上述の取付手順とは逆の手順で、胸ベルト３の先端部に位置する連結バックル４の受側部材４ａをアイスプライス部１３から引き抜き、又は差込部材４ｂ及びＤ環１０をアイスプライス部１３から引き抜き、アイスプライス部１３の折り返しを戻して、ループ部１２からアイスプライス部１３を引き抜くことにより、肩ベルト１から胸ベルト３を取り外すことができる。
【００３６】
そして、図１０に示すように、胸ベルト３を、昇降移動には対応しない通常のもの、すなわち、連結バックル４が樹脂製でＤ環のないものに交換することができる。
【００３７】
このように、作業内容における昇降移動の有無が変化したとき、胸ベルト３として、昇降移動に対応した高強度のものと、通常の高所作業用のものとを適宜選択し、肩ベルト１に取り付けて使用できるので、通常のハーネス型安全帯とは別に昇降移動用のハーネス型安全帯を購入する必要がなくなり、経済性が向上する。
【００３８】
また、胸ベルト３が傷んだ場合、肩ベルト１と腿ベルト２をそのまま使用して、傷んだ胸ベルト３のみを新しいものに取り替えることができ、或いは、肩ベルト１又は腿ベルト２が傷んだ場合、胸ベルト３をそのまま使用して、傷んだ肩ベルト１及び腿ベルト２を新しいものに取り替えることができるので、経済性が向上する。
【符号の説明】
【００３９】
１  肩ベルト
２  腿ベルト
３  胸ベルト
４  連結バックル
４ａ  受側部材
４ｂ  差込部材
５ａ  Ｄ環止め
５ｂ  ベルト保持板
６  Ｄ環（背面側）
７  ランヤード（背面側）
８  フック
９  吊ベルト
１０  Ｄ環（正面側）
１１  ランヤード（正面側）
１２  ループ部
１３  アイスプライス部
１４  合せマーク
【図１】
2019072424.tif 000003
【図２】
2019072424.tif 000004
【図３】
2019072424.tif 000005
【図４】
2019072424.tif 000006
【図５】
2019072424.tif 000007
【図６】
2019072424.tif 000008
【図７】
2019072424.tif 000009
【図８】
2019072424.tif 000010
【図９】
2019072424.tif 000011
【図１０】
2019072424.tif 000012
【図１１】
2019072424.tif 000013
【図１２】
2019072424.tif 000014
【図１３】
2019072424.tif 000015